(57)【要約】【課題】１つの駆動部によってそれぞれのベーンの角度を調節することができ、ベーンから突出したアーム部がなく、組み立てが容易で清掃性のよい風向調節装置及び風向調節装置を備えた空気調和機を得る。【解決手段】風向調節装置Ａは、千鳥状に配置された第一列ベーン２及び第二列ベーン３と、第一列ベーン２の支点４から延出した位置にある駆動側連結部６で連結されすべての第一列ベーン２に駆動部８の動きを伝える駆動アーム７と、第二列ベーン３の支点５から延出した位置にある従属側連結部９ですべての第二列ベーン３と連結すると共に、第一列ベーン２の支点４に対し駆動側連結部６と反対側に位置する介在連結部１１が移動自在に連結される従属アーム１０とからなり、駆動アーム７の動きを第一列ベーン２を介して従属アーム１０に伝えるようにした。  また、空気調和機は、上記の風向調節装置Ａを吹出口２９に備えた。【選択図】図１
2007132636.tif 000002
【特許請求の範囲】
【請求項１】
千鳥状に配置された第一列ベーン及び第二列ベーンと、前記第一列ベーンの支点から延出した位置にある駆動側連結部で連結されすべての第一列ベーンに駆動部の動きを伝える駆動アームと、前記第二列ベーンの支点から延出した位置にある従属側連結部ですべての第二列ベーンと連結すると共に、前記第一列ベーンの支点に対し駆動側連結部と反対側に位置する介在連結部が移動自在に連結される従属アームとからなり、前記駆動アームの動きを前記第一列ベーンを介して前記従属アームに伝えることを特徴とする風向調節装置。
【請求項２】
前記第一列ベーンを風下側に配置し前記第二列ベーンを風上側に配置したことを特徴とする請求項１記載の風向調節装置。
【請求項３】
前記第一列ベーンの支点と介在連結部の距離、及び前記第二列ベーンの支点と従属側連結部の距離を異なるようにして、前記第一列ベーンと第二列ベーンの回動角度が異なるようにしたことを特徴とする請求項１または２記載の風向調節装置。
【請求項４】
前記第一列ベーンの支点４と介在連結部の距離を前記第二列ベーンの支点と従属側連結部の距離より短くして、前記第二列ベーンの変更角度を前記第一列ベーンの回動角度より小さくなるようにしたことを特徴とする請求項１〜３のいずれかに記載の風向調節装置。
【請求項５】
前記第一列ベーンと第二列ベーンの角度変更時に前記第一列ベーンと第二列ベーンがほぼ連続した湾曲面を形成するようにしたことを特徴とする請求項１〜４のいずれかに記載の風向調節装置。
【請求項６】
前記第一列ベーンと第二列ベーンが設けられた台座が端部近傍で回動自在に軸支されるとともに、前記駆動アームが前記回動軸の近傍で回動自在に連結されたことを特徴とする請求項１〜５のいずれかに記載の風向調節装置。
【請求項７】
前記駆動アームと従属アームを風路に対し平行に配置したことを特徴とする請求項１〜６のいずれかに記載の風向調節装置。
【請求項８】
千鳥状に配置された第一列ベーン及び第二列ベーンと、前記第一列ベーンの支点から延出した位置にある第１の駆動側連結部及び前記第二列ベーンの支点から延出した位置にある第２の駆動側連結部とがそれぞれ連結され、すべてのベーンに駆動部の動きを伝える駆動アームとを備えたことを特徴とする風向調節装置。
【請求項９】
前記第一列ベーンを風下側に配置し前記第二列ベーンを風上側に配置したことを特徴とする請求項８記載の風向調節装置。
【請求項１０】
前記第一列ベーンの支点と第１の駆動側連結部の距離、及び前記第二列ベーンの支点と第２の駆動側連結部の距離が異なるようにして、前記第一列ベーンと第二列ベーンの回動角度が異なるようにしたことを特徴とする請求項８または９記載の風向調節装置。
【請求項１１】
前記第一列ベーンの支点と第１の駆動側連結部の距離を前記第二列ベーンの支点と第２の駆動側連結部の距離より短くして、前記第二列ベーンの回動角度が前記第一列ベーンの回動角度より小さくなるようにしたことを特徴とする請求項８〜１０のいずれかに記載の風向調節装置。
【請求項１２】
前記第一列ベーンと第二列ベーンの回動角度変更時に前記第一列ベーンと第二列ベーンがほぼ連続した湾曲面を形成するようにしたことを特徴とする請求項８〜１１のいずれかに記載の風向調節装置。
【請求項１３】
前記第一列ベーンと第二列ベーンが設けられた台座が端部近傍で回動可能に軸支されるとともに、前記駆動アームが前記回動軸の近傍で回動自在に連結されたことを特徴とする請求項８〜１２のいずれかに記載の風向調節装置。
【請求項１４】
前記駆動アームが風路に対し平行に配置されたことを特徴とする請求項８〜１３のいずれかに記載の風向調節装置。
【請求項１５】
前記請求項１〜１４に記載の風向調節装置を吹出口に備えたことを特徴とする空気調和機。
【発明の詳細な説明】
【技術分野】
【０００１】
本発明は、ベーンが千鳥状に配置された風向調節装置、及び風向調節装置を備えた空気調和機に関する。
【背景技術】
【０００２】
風路に対しベーンが風上側と風下側に分割配置された従来の風向調節装置は、風上側ベーンと風下側ベーンがアームで連結されて連結ベーンユニットを形成し、それが長手方向に複数配置されていた。風上側ベーンと風下側ベーンのそれぞれの支点と延出した位置にある連結部で連結されたアームによって、風上側ベーンと風下側ベーンはそれぞれ異なる変更角度を有することができた（例えば、特許文献１参照）。
【０００３】
【特許文献１】特開平５−１１８６３７号公報（第２頁、図１）
【発明の開示】
【発明が解決しようとする課題】
【０００４】
風路に対してベーンが風上側と風下側に分割配置された従来の風向調節装置は、１つのモータで風上側と風下側のベーンの角度をそれぞれ調節するため、風上側ベーンと風下側ベーンをアームで連結して連結ベーンユニットを形成し、それが長手方向に複数配置されていたので、それぞれの連結ベーンユニットに対してアーム部品が必要となり、構造が複雑で組立てが面倒であり、このためコストが高くなるという問題があった。また、それぞれのアーム部品をベーンと一体成形したとしても、アーム部がベーンから突出することとなり、清掃性が悪いという問題があった。特に、千鳥状に配置された２列のベーンの場合は、アーム部が長くなってしまい、組立てにくい、また清掃性が悪いという問題があった。
【０００５】
本発明は、上記の課題を解決するためになされたもので、千鳥状に配置された２列のベーンにおいて、１つのモータによってそれぞれの角度を調節することができる組立ての簡単な風向調節装置及び風向調節装置を備えた空気調和機を得ることを目的とする。
【０００６】
また、千鳥状に配置された２列のベーンにおいて、１つのモータによりそれぞれの角度が調節できるベーンから突出したアーム部がなく、清掃性のよい風向調節装置及び風向調節装置を備えた空気調和機を得ることを目的とする。
【課題を解決するための手段】
【０００７】
本発明に係る風向調節装置は、千鳥状に配置された第一列ベーン及び第二列ベーンと、第一列ベーンの支点から延出した位置にある駆動側連結部で連結されすべての第一列ベーンに駆動部の動きを伝える駆動アームと、第二列ベーンの支点から延出した位置にある従属側連結部ですべての第二列ベーンと連結すると共に、第一列ベーンの支点に対し駆動側連結部と反対側に位置する介在連結部が移動自在に連結される従属アームとからなり、駆動アームの動きを第一列ベーンを介して従属アームに伝えるようにしたものである。
【０００８】
本発明に係る空気調和機は、上記の風向調節装置を吹出口に備えたものである。
【発明の効果】
【０００９】
本発明に係る風向調節装置及び空気調和機は、１つの駆動部によってそれぞれのベーンの角度が調節可能であり、第一列ベーンと第二列ベーンをアームで連結して連結ベーンユニットとする必要がないため組立てが容易であり、ベーンからアームが突出しないので清掃性がよい。
【発明を実施するための最良の形態】
【００１０】
実施の形態１．
図１、図２は本発明の実施の形態１に係る風向調節装置の斜視図及びその上面図である。図において、台座１には第一列ベーン２及び第二列ベーン３が千鳥状に配置されており、それぞれが支点４及び支点５によって回動自在に取り付けられている。第一列ベーン２の支点４から延出した位置にある駆動側連結部６によって、すべての第一列ベーン２が駆動アーム７と回動自在に結合している。そして、駆動アーム７は、駆動用のモータ８に連結されている。
【００１１】
また、第二列ベーン３の支点５から延出した位置にある従属側連結部９によって、すべての第二列ベーン３が従属アーム１０と回動自在に結合している。第一列ベーン２の支点４に対して駆動側連結部６と反対側の介在連結部１１が長穴によって形成され、従属アーム１０に移動自在に連結されている。これによって、駆動アーム７の動きを、第一列ベーン２を介して従属アーム１０に伝えている。
【００１２】
次に、動作について説明する。図３、図４は図１、図２に示した風向調節装置の作用を示す斜視図及びその上面図である。図に示すように、モータ８の駆動によって駆動アーム７が軸方向に移動すると、駆動側連結部６によって駆動アーム７と回動自在に結合しているすべての第一列ベーン２が回動する。また、第一列ベーン２の支点４に対して、駆動側連結部６と反対側の介在連結部１１が、長穴によって従属アーム１０と移動自在に結合しているため、従属アーム１０が移動する。従属アーム１０が移動すると、第二列ベーン３の支点５から延出した位置にある従属側連結部９で従属アーム１０と回転自在に結合しているすべての第二列ベーン３が回動する。
【００１３】
実施の形態１にかかる風向調節装置Ａによれば、１つのモータ８によってそれぞれのベーン２，３の角度が調節可能であり、第一列ベーン２と第二列ベーン３をアームで連結して連結ベーンユニットとする必要がないため、組立てが容易であり、ベーン２，３からアーム７，１０が突出しないので清掃性がよい。
【００１４】
実施の形態２．
図５は本発明の実施の形態２に係る風向調節装置の上面図である。なお、実施の形態１と同一部分には同じ符号を付し、説明を省略する。
図において、台座１には第一列ベーン２と第二列ベーン３が千鳥状に配置されており、それぞれが支点４及び支点５によって回動自在に取り付けられている。そして、駆動用のモータ８側の第一列ベーン２の支点４から延出した位置にある駆動側連結部１２によって、２つの第一列ベーン２が駆動アーム１３と回動自在に結合している。なお、駆動アーム１３は、モータ８に連結されている。
【００１５】
第一列ベーン２の支点４から延出した位置にある従属側連結部１４によって、残りの第一列ベーン２が従属アーム１５と回動自在に結合されている。また、第二列ベーン３の支点５から延出した位置にある従属側連結部１６によって、すべての第二列ベーン３が従属アーム１５と長穴によって回動自在に結合している。さらに、第一列ベーン２の支点４に対し、駆動側連結部１２と反対側の連結部１７が従属アーム１５に移動自在に連結されている。
実施の形態２にかかる風向調節装置Ａのように、駆動アーム１３の動きを第一列ベーン２を介して従属アーム１５に伝えるように配置しても、実施の形態１の場合と同様の効果を得ることができる。
【００１６】
実施の形態３．
図６は本発明の実施の形態３に係る風向調節装置の上面図である。なお、実施の形態１と同一部分には同じ符号を付し、説明を省略する。
実施の形態３では、第一列ベーン２の支点４と介在連結部１１との間の距離１８が、第二列ベーン３の支点５と従属側連結部９との間の距離１９と異なるように配置したものである。こうすることによって、第一列ベーン２の角度と第二列ベーン３の角度を異なる角度で作動させる。
【００１７】
図６は、第一列ベーン２の支点４と介在連結部１１との間の距離１８が、第二列ベーン３の支点５と従属側連結部９との間の距離１９よりも短くなるようにした場合を示している。
このため、第一列ベーン２の角度と第二列ベーン３の角度が異なる角度で作動する。
実施の形態３にかかる風向調節装置Ａによれば、風上側の第二列ベーン３の作動角度が風下側の第一列ベーン２の作動角度より小さくなり、風の流れをスムーズに調節することができる。
【００１８】
実施の形態４．
図７は本発明の実施の形態４に係る風向調節装置の上面図である。なお、実施の形態１と同一部分には同じ符号を付し、説明を省略する。
実施の形態３で示したように、距離１８を距離１９よりも短くなるようにした場合は、第一列ベーン２の角度と第二列ベーン３の角度が異なる角度で作動するが、この場合、図７に示すように、距離１８と距離１９とを調整して、駆動アーム７が一定の位置まで移動したとき、第一列ベーン２と第二列ベーン３がほぼ連続した湾曲面を形成するようにしたものである。
【００１９】
次に、動作について説明する。風上側の第二列ベーン３の角度が風下側の第一列ベーン２の角度より小さい角度で作動し、駆動アーム７が一定の位置まで移動すると、第一列ベーン２と第二列ベーン３がほぼ連続した湾曲面を形成する。
実施の形態４にかかる風向調節装置Ａによれば、風の流れをスムーズに調節することができる。
【００２０】
実施の形態５．
図８は本発明の実施の形態５に係る風向調節装置の上面図である。なお、実施の形態１と同一部分には同じ符号を付し、説明を省略する。
実施の形態５では、第一列ベーン２と第二列ベーン３が設けられた台座１が端部で軸支されて回動可能となり、駆動アーム７が回動軸２０上で回動自在に連結された場合を示している。なお、第一列ベーン２と第二列ベーン３の上流側には、送風機２１が配置されている。
【００２１】
次に、動作について説明する。図９は図８の作用を示す上面図であり、図１０は図９の側面図である。図８に示すように端部で軸支されており第一列ベーン２と第二列ベーン３が設けられた台座１を回動させると、図９、図１０に示すように台座１および駆動アーム７が回動軸２０を軸として回動する。
【００２２】
実施の形態５に係る風向調節装置Ａによれば、送風機２１の下流側にある第一列ベーン２と第二列ベーン３を台座１ごと一時的に回動させて移動することができるので、直接送風機２１に手が届き、掃除が容易になる。
そして、図９、図１０に示すように、駆動アーム７と従属アーム１０が風路に対し平行に配置された場合は、駆動アーム７と従属アーム１０による空気抵抗が少なくなる。
【００２３】
実施の形態６．
図１１、図１２は本発明の実施の形態６に係る風向調節装置の斜視図及びその上面図である。図において、台座１には第一列ベーン２と第二列ベーン３が千鳥状に配置されており、それぞれ支点４及び支点５によって回動自在に取り付けられている。第一列ベーン２の支点４から延出した位置にある第１の駆動側連結部２２によって、すべての第一列ベーン２が駆動アーム２３と回動自在に連結されている。また、第二列ベーン３の支点５から延出した位置にある第２の駆動側連結部２４によって、すべての第二列ベーン３が駆動アーム２３と回動自在に連結されている。そして、駆動アーム２３は、駆動用のモータ８に連結されている。
【００２４】
次に、動作について説明する。図１３、図１４は図１１、図１２に示した風向調節装置の作用を示す斜視図及びその上面図である。図に示すように、モータ８の駆動によって駆動アーム２３が移動すると、第１の駆動側連結部２２で駆動アーム２３と回転自在に連結されているすべての第一列ベーン２が回動する。また、第二列ベーン３の支点５から延出した位置にある第２の駆動側連結部２４で、駆動アーム２３と長穴によって回動自在に連結されているすべての第二列ベーン３が回動する。
【００２５】
実施の形態６にかかる風向調節装置Ａによれば、１つのモータ８によってそれぞれのベーン２，３の角度が調節可能であり、第一列ベーン２と第二列ベーン３をアームで連結し連結ベーンユニットとする必要がないため、組立てが容易であり、ベーン２，３からアーム２３が突出しないので清掃性がよい。
【００２６】
実施の形態７．
図１５は本発明の実施の形態７に係る風向調節装置の上面図である。なお、実施の形態６と同一部分には同じ符号を付し、説明を省略する。
実施の形態７では、実施の形態６の風向調節装置において、第一列ベーン２の支点４と第１の駆動側連結部２２との間の距離２５が、第二列ベーン３の支点５と第２の駆動側連結部２４との間の距離２６と異なるように配置したものである。こうすることによって、第一列ベーン２の角度と第二列ベーン３の角度を異なる角度で作動させる。
【００２７】
図１５は、第一列ベーン２の支点４と第１の駆動側連結部２２との間の距離２５が、第二列ベーン３の支点５と第２の駆動側連結部２４との間の距離２６よりも短くなるようにした場合を示している。
このため、第一列ベーン２の角度と第二列ベーン３の角度が異なる角度で作動する。
実施の形態７にかかる風向調節装置Ａによれば、風上側の第二列ベーン３の作動角度が風下側の第一列ベーン２の作動角度より小さくなり、風の流れをスムーズに調節することができる。
【００２８】
実施の形態８．
図１６は本発明の実施の形態８に係る風向調節装置の上面図である。なお、実施の形態７と同一部分には同じ符号を付し、説明を省略する。
実施の形態７で示したように、距離２５を距離２６よりも短くした場合は、第一列ベーン２の角度と第二列ベーン３の角度が異なる角度で作動するが、この場合、図１６に示すように、距離２５と距離２６とを調整し、駆動アーム２３が一定の位置まで移動したとき、第一列ベーン２と第二列ベーン３がほぼ連続した湾曲面を形成するようにしたものである。
【００２９】
次に、動作について説明する。風上側の第二列ベーン３の角度が風下側の第一列ベーン２の角度より小さい角度で作動し、駆動アーム２３が一定の位置まで移動すると、第一列ベーン２と第二列ベーン３がほぼ連続した湾曲面を形成する。
実施の形態８に係る風向調節装置Ａによれば、風の流れをスムーズに調節できる。
【００３０】
実施の形態９．
図１７は本発明の実施の形態９に係る風向調節装置の上面図である。なお、実施の形態６と同一部分には同じ符号を付し、説明を省略する。
実施の形態９では、第一列ベーン２と第二列ベーン３が設けられた台座１が端部で軸支されて回転可能となり、駆動アーム２３が回転軸２０上で回動自在に連結された場合を示している。なお、第一列ベーン２と第二列ベーン３の上流側には、送風機２１が配置されている。
【００３１】
次に動作について説明する。図１８は図１７の作用を示す上面図、図１９は図１８の側面図である。図１８に示すように端部で軸支されて第一列ベーン２と第二列ベーン３が設けられた台座１を回動させると、図１８、図１９に示すように台座１および駆動アーム２３が軸部で回動する。
【００３２】
実施の形態９に係る風向調節装置Ａによれば、送風機２１の下流側にある第一列ベーン２と第二列ベーン３を台座１ごと一時的に回動させて移動することができるので、直接送風機２１に手が届き、掃除が容易である。
そして、図１８、図１９に示すように、駆動アーム２３が風路に対し平行に配置された場合は、駆動アーム２３による空気抵抗が少なくなる。
【００３３】
実施の形態１０．
図２０は、実施の形態１〜１０の風向調節装置を空気調和機の室内機の吹出口に配置した場合の空気調和機の断面図である。図において、空気調和機には、送風機２１、吸込口２７、熱交換器２８、吹出口２９、風路を形成する筐体３０、ドレンパン３１、風路を形成するノズル３２が設けられており、風向調節装置Ａは空気調和機の室内機の吹出口２９に配置してある。
【００３４】
実施の形態１０に係る空気調和機の室内機によれば、風向調節装置Ａは、１つのモータ８によってそれぞれのベーンの角度が調節可能であり、第一列ベーン２と第二列ベーン３をアームで連結して連結ベーンユニットとする必要がないため、組立てが容易で、ベーン２，３から駆動アーム２３が突出しないので清掃性がよい。
【図面の簡単な説明】
【００３５】
【図１】本発明の実施の形態１に係る風向調節装置の斜視図である。
【図２】図１の上面図である。
【図３】図１の作用を示す説明図である。
【図４】図３の上面図である。
【図５】本発明の実施の形態２に係る風向調節装置の上面図である。
【図６】本発明の実施の形態３に係る風向調節装置の上面図である。
【図７】本発明の実施の形態４に係る向調整装置の上面図である。
【図８】本発明の実施の形態５に係る風向調節装置の上面図である。
【図９】図８の作用説明図である。
【図１０】図９の側面図である。
【図１１】本発明の実施の形態６に係る風向調節装置の斜視図である。
【図１２】図１１の上面図である。
【図１３】図１１の作用説明図である。
【図１４】図１３の上面図である。
【図１５】本発明の実施の形態７に係る風向調節装置の上面図である。
【図１６】本発明の実施の形態８に係る風向調節装置の上面図である。
【図１７】本発明の実施の形態９に係る風向調節装置の上面図である。
【図１８】図１７の作用説明図である。
【図１９】図１８の側面図である。
【図２０】本発明の実施の形態１０に係る空気調和機の断面図である。
【符号の説明】
【００３６】
１  台座、２  第一列ベーン、３  第二列ベーン、４  第一列ベーンの支点、５  第二列ベーンの支点、６  駆動側連結部、７  駆動アーム、８  モータ（駆動部）、９  従属側連結部、１０  従属アーム、１１  介在連結部、１８  第一列ベーンの支点と介在連結部の距離、１９  第二列ベーンの支点と従属側連結部の距離、２０  回動軸、２１  送風機、２２  第１の駆動側連結部、２３  駆動アーム、２４  第２の駆動側連結部、２５  第一列ベーンの支点と第１の駆動側連結部の距離、２６  第二列ベーンの支点と第２の駆動側連結部の距離、２９  吹出口、Ａ  風向調節装置。
【図１】
2007132636.tif 000003
【図２】
2007132636.tif 000004
【図３】
2007132636.tif 000005
【図４】
2007132636.tif 000006
【図５】
2007132636.tif 000007
【図６】
2007132636.tif 000008
【図７】
2007132636.tif 000009
【図８】
2007132636.tif 000010
【図９】
2007132636.tif 000011
【図１０】
2007132636.tif 000012
【図１１】
2007132636.tif 000013
【図１２】
2007132636.tif 000014
【図１３】
2007132636.tif 000015
【図１４】
2007132636.tif 000016
【図１５】
2007132636.tif 000017
【図１６】
2007132636.tif 000018
【図１７】
2007132636.tif 000019
【図１８】
2007132636.tif 000020
【図１９】
2007132636.tif 000021
【図２０】
2007132636.tif 000022